【事件の表示】
　平成　３年特許願第２３９１５６号「精米機」拒絶査定不服審判事件〔平成　５年　３月３０日出願公開、特開平　５−　７６７８４〕について、次のとおり審決する。
【結　論】
　本件審判の請求は、成り立たない。
【理　由】
１．手続きの経緯、本願発明
　本願は、平成３年９月１９日の出願であって、その請求項１及び２に係る発明は、平成１１年２月２４日付け手続補正書及び平成１２年８月３日付け手続補正書により補正された明細書及び図面の記載からみて、本願の特許請求の範囲の請求項１及び２に記載されたとおりのものと認められるところ、その請求項１に記載された発明（以下、「本願発明」という。）は次のとおりである。
　
【請求項１】　投入した玄米を昇降機２で精米タンク２４に揚上し、精米タンク２４からの玄米を受けて精白処理する精白筒体２８を白米排出部２９が下位の傾斜姿勢に設け、該白米排出部２９には白米排出部２９を圧迫する状態とこれを開口する状態とに切替可能にする抵抗板３１を設け、白米排出部２９から排出された精白米が通過する通路の途中には精白米を機外排出あるいは昇降機２に戻す切替弁４０を設けるものであって、精白処理開始時には精白米を昇降機２を経て精米タンク２４に戻し再度精白筒体２８で精白処理すべく切替弁４０を作動させ、精白処理すべき穀粒が無くなることを検出すると精米機駆動モータ３０が起動状態のまま白米排出部２９を開口する状態に切替えるべく抵抗板３１を作動させることを特徴とする精米機。
　
（なお、本願明細書について、平成１３年８月２７日付けで手続補正がなされたが、これは平成１３年１１月２６日付けで手続却下されたので、本願発明は上記のとおりに認定した。）
　
２．引用例
　これに対し、原査定では拒絶の理由で、以下の引用例１乃至４を引用している。
　引用例１：実願昭６０−３１３８２号（実開昭６１−１４７１５０号）のマイクロフィルム
　引用例２：実願昭６１−１７１３５号（実開昭６２−１３０７３９号）のマイクロフィルム
　引用例３：特開昭５５−１５９８５３号公報
　引用例４：特開昭６３−３１０６４８号公報
　
２−１．引用例に記載された発明
（１） 引用例１
　引用例１［実願昭６０−３１３８２号（実開昭６１−１４７１５０号）のマイクロフィルム］には、精米機の精白制御装置に関し、図面とともに、
(1-1)　第１頁５−１３行に「精白ロールによる玄米の精白度を精白度センサ出力に基づいて自動制御する精白度調節部材と、前記精白ロールに供給する玄米量を検出する玄米センサと、前記精白ロールの駆動負荷を検出する負荷センサとを備え、前記玄米センサの玄米量減少出力に基づいて前記精白度調節部材の自動制御を中止する一方、前記負荷センサの軽負荷出力に基づいて精白ロール部の残留玄米を排出すべく構成したことを特徴とする精米機の精白制御装置」と、
(1-2)　第５頁第６−１０行に「（１８）は前記流穀板（１６）から落下する玄米を揚穀スロア（１９）に送給する玄米取出コンベアであり、前記流穀板（１６）を介して玄米を連続して取出すように構成している。」と、
(1-3)　第５頁第１１行−第６頁第８行に「また図中（２０）は前記籾ホッパー（４）に隣接させて設け前記揚穀スロア（１９）により玄米を投入する玄米ホッパー、（２１）は前記ホッパー（２０）出口に設ける玄米シャッタ、（２２）は前記ホッパー（２０）下部にシャッタ（２１）を介して連通させる精白筒、（２３）は前記精白筒（２２）に回転自在に内設する精白ロール、（２４）は前記精白筒（２２）他端の排出口（２５）を開閉自在に閉鎖する排出蓋、（２６）は圧力調節錘（２７）を移動して前記蓋（２４）の排出抵抗を変化させる精白度調節部材である精白度モータ、（２８）は前記排出口（２５）からの精白米を精白米容器（２９）に落下させる精白米取出シュート、（３０）は前記精白筒（２２）の糠抜き孔（３１）から取出す糠を糠容器（３２）に落下させる糠取出シュートであり、前記籾摺部（２）及び精米部（３）の各部を駆動する単一の作業モータ（３３）を備え、……精白ロール（２３）等を前記モータ（３３）によって駆動するように構成している。」と、
(1-4)　第６頁第１５−２０行に「（３８）は前記玄米ホッパー（２０）底部に設けて玄米の有無を検出するオンオフ型玄米スイッチ、……、（４０）は発光素子（４１）からの玄米検出光を受けて精白ロール（２３）に供給する玄米量を検出する玄米センサである玄米用受光素子、」と、
(1-5)　第７頁第１０行−第８頁第３行に「また前記排出蓋（２４）を全開位置に開動させる放出ソレノイド（４５）を備え、その放出ソレノイド（４５）操作により精白筒（２２）の排出口（２５）を開放し、精白筒（２２）内部の玄米を精白ロール（２３）により殆んど無抵抗で排出させると共に、前記精白米容器（２９）に隣接させて玄米容器（４６）を配設し、前記各容器（２９）（４６）のいずれか一方に択一的に精白米取出シュート（２８）を連通させる切換シャッタ（４７）と、そのシャッタ（４７）を切換操作する切換ソレノイド（４８）とを備え、前記各ソレノイド（４５）（４８）を連動して作動させ、排出蓋（２４）の開放により精白ロール（２３）部から排出される玄米（未精白）を、前記シャッタ（４７）により玄米容器（４６）に落下案内するように構成している。」と、
(1-6)　第１３頁第１−１３行に「前記受光素子（４０）によって検出する玄米量が設定以下に減少することにより、または前記受光素子（４３）からの精白度（ｌ）入力が異常に小さくなることにより、……軽負荷で作業モータ（３３）が運転されると、放出ソレノイド（４５）により排出蓋（２４）を全開位置に開動させ、精白ロール（２３）部の玄米を殆んど無抵抗で排出口（２５）から排出すると共に、切換ソレノイド（４８）により切換シャッタ（４７）を作動させて精白米取出シュート（２８）を玄米容器（４６）に連通させ、精白ロール（２３）からの玄米をその容器（４６）に取出し、その玄米が精白米と混合されるのを防ぐ」と記載されている。
(1-7)　第２図に、精白筒（２２）が、その軸方向を水平になるように設けられていることが記載されている。
　以上の記載によれば、引用例１には、
「玄米取出コンベア（１８）により送給される玄米（未精白）を揚穀スロア（１９）で玄米ホッパー（２０）に投入し、玄米ホッパー（２０）からの玄米を受けて精白処理する精白筒（２２）を軸方向が水平になるように設け、該精白筒（２２）に設けられた排出口（２５）には排出抵抗を与える状態と全開状態とに切換可能な排出蓋（２４）を設け、排出口（２５）からの精白米あるいは玄米を落下させる精白米取出シュート（２８）の下方には、互いに隣接した精白米容器（２９）及び玄米容器（４６）のいずれか一方に精白米取出シュート（２８）を連通させる切換シャッタ（４７）を設けるものであって、精白度が小さいときには玄米を玄米容器（４６）に取り出すために精白米取出シュート（２８）を玄米容器（４６）に連通させるように切換シャッタ（４７）を作動させ、精白処理すべき玄米量が設定以下に減少することを検出すると作業モータ（３３）を運転し排出口（２５）から玄米を排出するべく排出蓋（２４）を全開位置に開動させる精米機」（以下、「引用発明」という。）
　との発明が開示されていると認めることができる。
（２） 引用例２
　引用例２［実願昭６１−１７１３５号（実開昭６２−１３０７３９号）のマイクロフィルム］には、精米機の排出口抵抗装置に関し、図面とともに、
(2-1)　第２頁第６−７行に「円筒研削式の精米機には横型、傾斜型あるいは縦型のタイプのものがあり、」と、
(2-2)　第１図あるいは第２図に、除糠筒１１を排出口２０が下位の傾斜姿勢に設けていることが記載されている。
（３） 引用例４
　引用例４［特開昭６３−３１０６４８号公報］には、コイン精米機に関し、図面とともに、
(3-1)　第１頁左欄第５行−右欄第４行に「ケース１内の下部にモーター２を設け、モーター２により回転する縦軸の下半分に上方に揚穀する揚穀螺旋３を設け、縦軸の上半分に精米ロール４を取付け、縦軸の上部をケース１の上壁５の下側に設けた軸受６で支持し、揚穀螺旋３の外周は送穀筒７で包囲し、精米ロール４の外周は除糠筒８で包囲し、送穀筒７の下部に流入口９を形成し、流入口９の外部に張込ホッパー１０を取付け、除糠筒８の上端には排出口１１を形成し、排出口１１の外部に抵抗装置１２を設け、排出口１１より排出した精白米は精白米取出口１３より下部に設けた米袋１４に落下収納されるようにし、排出口１１の外部に切替弁１５を設け、切替弁１５を切替えると半搗米戻し口１６より張込ホッパー１０に半搗米を戻すようにしたコイン精米機。」と、
(3-2)　第１頁右欄第９行−第２頁左上欄第１行に「第１図は、従来のコイン精米機であり、……、Ｄは昇降機Ｃの張込口、Ｅは排出口、Ｆは供給ホッパー、Ｇは精米室、Ｈは排出樋、Ｉは米袋であり、張込口Ｄに玄米を投入すると昇降機Ｃで揚穀され、排出口Ｅより供給ホッパーＦを経て精米室Ｇに流入して精米され排出樋Ｈより米袋Ｉに取出される。」と、
(3-3)　第２頁左下欄第１０−１２行に「１５は切替弁で、切替弁１５を起立するように切替えると半搗米戻し口１６より、張込ホッパー１０に穀物を戻すように形成する。」と、
(3-4)　第２頁右下欄第７−１３行に「しかし、搗精の初期は、半搗きの状態であるから、起立してある切替弁１５により半搗米戻し口１６より流入口９に戻される。排出口１１より流出する穀物が白米となれば切替弁１５により半搗米戻し口１６を閉ざし、精白米取出口１３より米袋１４に流入してコイン精米をする。」と記載されている。
　
３．本願発明と引用発明との対比
　本願発明と、引用発明とを比較すると、引用発明の「玄米（未精白）」「玄米ホッパー（２０）」「精白筒（２２）」「排出口（２５）」「排出蓋（２４）」「精米機」は、それぞれ本願発明の「玄米」「精米タンク」「精白筒体」「白米排出部」「抵抗板」「精米機」に相当するものと認められる。
　また、引用発明の「玄米取出コンベア（１８）により送給される玄米（未精白）を揚穀スロア（１９）で玄米ホッパー（２０）に投入」することと、本願発明の「投入した玄米を昇降機で精米タンクに揚上」することとは、「玄米を揚上手段により精米供給箇所に揚上」することで共通する。
　また、引用発明の「玄米ホッパー（２０）からの玄米を受けて精白処理する精白筒（２２）を軸方向が水平になるように設け」ることと、本願発明の「精米タンク２４からの玄米を受けて精白処理する精白筒体２８を白米排出部２９が下位の傾斜姿勢に設け」ることとは、「精米タンク２４からの玄米を受けて精白処理する精白筒体２８を設け」ることで共通する。
　また、引用発明の「排出口（２５）からの精白米あるいは玄米を落下させる精白米取出シュート（２８）の下方には、互いに隣接した精白米容器（２９）及び玄米容器（４６）のいずれか一方に精白米取出シュート（２８）を連通させる切換シャッタ（４７）を設けるものであって、精白度が小さいときには玄米を玄米容器（４６）に取り出すために精白米取出シュート（２８）を玄米容器（４６）に連通させるように切換シャッタ（４７）を作動させ」ることと、本願発明の「白米排出部２９から排出された精白米が通過する通路の途中には精白米を機外排出あるいは昇降機２に戻す切替弁４０を設けるものであって、精白処理開始時には精白米を昇降機２を経て精米タンク２４に戻し再度精白筒体２８で精白処理すべく切替弁４０を作動させ」ることとは、「白米排出部から排出された精白米が通過する通路の途中には精白米を精白米用通路への誘導あるいは未精白米用通路への誘導に切り換える切替弁を設けるものであって、精白度が小さいときには未精白米を未精白米用通路へ誘導すべく切替弁を作動させ」ることで共通する。
　また、引用発明の「精白処理すべき玄米量が設定以下に減少することを検出すると作業モータ（３３）を運転し排出口（２５）から玄米を排出するべく排出蓋（２４）を全開位置に開動させる」ことと、本願発明の「精白処理すべき穀粒が無くなることを検出すると精米機駆動モータ３０が起動状態のまま白米排出部２９を開口する状態に切替えるべく抵抗板３１を作動させる」こととは、「精白処理すべき穀粒が減少したことを検出すると精米機駆動モータが起動状態のまま白米排出部を開口する状態に切替えるべく抵抗板を作動させる」ことで共通する。
　そうすると、引用発明と本願発明の両者は「玄米を揚上手段により精米供給箇所に揚上し、精米供給箇所からの玄米を受けて精白処理する精白筒体を設け、精白筒体の白米排出部には白米排出部を圧迫する状態とこれを開口する状態とに切替可能にする抵抗板を設け、白米排出部から排出された精白米が通過する通路の途中には精白米を精白米用通路への誘導あるいは未精白米用通路への誘導に切り換える切替弁を設けるものであって、精白度が小さいときには未精白米を未精白米用通路へ誘導すべく切替弁を作動させ、精白処理すべき穀粒が減少することを検出すると精米機駆動モータが起動状態のまま白米排出部を開口する状態に切替えるべく抵抗板を作動させる精米機」である点で一致し、以下の点で相違しているものと認められる。
　
・ 相違点１
　本願発明では、精米タンクへ昇降機で揚上される玄米が投入されたものであり、切替弁により精白米を機外排出あるいは昇降機に戻すものであって、精白処理開始時には精白米を昇降機を経て精米タンクに戻し再度精白筒体で精白処理すべく切替弁を作動させるのに対し、引用発明では、供給ホッパへ揚穀スロアで揚上される玄米が玄米取出コンベアにより送給されるものであり、切替弁より精白米あるいは玄米を精白米容器あるいは玄米容器に排出するものであって、精白度が小さいときには玄米を玄米容器に取り出すべく切替弁を作動させる点。
・ 相違点２
　精白筒体の姿勢が、本願発明では、傾斜姿勢であるのに対し、引用発明では、軸方向が水平方向である点。
・ 相違点３
　精米機駆動モータが起動状態のまま白米排出部を開口する状態に切替えるべく抵抗板を作動させるのが、本願発明では、精白処理すべき穀粒が無くなることを検出したときであるのに対し、引用発明では、精白処理すべき穀粒が設定以下に減少することを検出したときである点。
　
４．当審の判断
　そこで、上記相違点について検討する。
i. 相違点１について
　引用例４には、従来技術として、張込口に投入された玄米を昇降機により供給ホッパーに揚上していることが記載されており、引用発明は、下方に位置する玄米取出コンベアから上方に位置する玄米ホッパーへ揚上するために揚穀スロアを用いているのであるから、引用例４に記載の、下方で投入された玄米を昇降機により上方の精米供給箇所へ揚上する構成を引用発明に適用することは当業者にとって格別困難なことではなく、ホッパーをタンクとすることについても、供給口としての機能に加え貯留可能とした機能を必要に応じて追加したにすぎず技術的困難性があるとは認められない。
　また、引用例４には、精白処理開始時の精白度が小さい未精白米を再度精白処理するという技術的課題のため未精白米を精白処理の精米供給箇所に戻すという技術思想が記載されており、引用発明は、精白度が小さい未精白米とそうでない精白米とに区分するという技術的課題は引用例４に記載の発明と共通するのであるから、引用発明における玄米容器へ導かれる玄米を再度精白処理の経路に戻す構成とすることは、当業者が格別困難なく想起し得たものであり、その際に、引用発明の玄米容器は下方に位置するものであるから、玄米ホッパーの箇所まで未精白米を揚上させるために、最初に投入された玄米を揚上するために用いる昇降機を利用することは、その移動方向が最初に投入された玄米と同様であるから、当業者が適宜なし得た程度の単なる設計的事項というべきである。
ii. 相違点２について
　精白筒体の姿勢を白米排出部が下位の傾斜姿勢とすることが引用例２等に記載されているように周知技術であり、当該周知技術を考慮すれば、引用発明の軸方向が水平方向に向いている精白筒体を白米排出部が下位の傾斜姿勢とすることは、当業者が精白筒体内に未精白米の残留を無くする等の事情に応じ適宜なし得た程度の単なる設計的事項にすぎないというべきである。
iii. 相違点３について
　本願発明の「精白処理すべき穀粒が無くなることを検出すると」は、発明の詳細な説明中の記載によると「精米タンク２４内の玄米処理が完了すると、例えば、……精米タンク２４に設ける下限センサ以下を検出する」ことであるので、引用発明の「精白処理すべき穀粒が設定以下に減少することを検出する」ことと実質的な構成の差異はないものと認められる。
　
　そして、本願発明の奏する作用・効果は、引用発明、引用例４に記載の発明及び周知技術より当業者が予測し得る範囲内のものである。
　したがって、本願発明は、引用発明、引用例４に記載の発明及び周知技術に基づいて当業者が容易に発明をすることができたものである。
　
５．むすび
　以上のとおりであるから、請求項１に係る発明は、引用発明、引用例３，４に記載の発明及び周知技術に基づいて当業者が容易に発明をすることができたものであるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。